(57)【特許請求の範囲】
【請求項１】
互いに水平方向に間隔を隔てて壁面内に鉛直に設置された１対の鉛直板（２）を備え、該鉛直板の対向する内面には同一位置に、水平方向及び上下方向に間隔を隔てて複数の円形ダボ孔（２ａ）が設けられ、
更に、前記円形ダボ孔に着脱可能に取付けられる複数の棚支持部材（４）と、該棚支持部材で両端支持される複数の棚板（６）と、前記円形ダボ孔に着脱可能に取付けられかつ前記１対の鉛直板で両端支持される複数の倒れ防止バー（８）と、を備え、
前記対向する対の円形ダボ孔の深さは、一方が他方より深くなっており、
前記倒れ防止バーは、２枚の鉛直板の間隔に円形ダボ孔の浅い方の孔深さの２倍を加えた長さになっており、
前記倒れ防止バー（８）の一端（８ａ）には円形ダボ孔内に収容される圧縮コイルバネ（９）が取付けられ、該圧縮コイルバネにより反対側の鉛直板の円形ダボ孔内に倒れ防止バーの他端（８ｂ）を付勢する、ことを特徴とするウォールラック。
【請求項２】
前記１対の鉛直板（２）の間に壁面に平行又は斜めに取付けられたパネル板（１０）を備え、該パネル板に電話機等を取り付ける、ことを特徴とする請求項１に記載のウォールラック。
【発明の詳細な説明】
【０００１】
【発明の属する技術分野】
本発明は、壁面内に収納可能なウォールラックに関する。
【０００２】
【従来の技術】
マンション等のリビングルームやキッチンでは、日常使用する種々のアイテム（新聞、雑誌、手紙・はがき、小学校関係のファイル、電話帳、メガネクリーナー、常備薬、写真ネガ袋、等）をすぐ手の届くところに置いておきたい場合が多い。そのため、従来は、例えば簡単なマガジンラックを購入し、新聞、雑誌等を収納しているが、収納量が少ないため整理がしにくく、かつラックの置き場所に困ることがあった。
【０００３】
【発明が解決しようとする課題】
そのため、壁面に立てかける背の高い本棚やラックを購入し、その中に日常使用するアイテムを収納する場合もあるが、従来の本棚やラックは、（１）厚さがあるため廊下等にでっぱって邪魔になりやすく、また（２）地震等で倒れやすい問題点があった。また、新聞、雑誌、電話帳、等の大きいアイテムと、手紙・はがき、常備薬、写真ネガ袋、等の小さいアイテムとを収納すると、（３）小さいアイテム（小物）が見つけにくくなる問題点があった。
【０００４】
（４）更に、従来の本棚やラックの一部には、棚又は仕切りを移動できるものもあるが、その構造が複雑であり、その移動の自由度が狭く、自由なレイアウトへの変更は困難な問題点があった。
【０００５】
（５）また、これらのアイテムは、特に電話機やインターホンを使っての応対時に必要になるが、従来の本棚やラックでは、電話機やインターホンは別置きにする必要があるため、更に廊下等にでっぱって邪魔になる問題点があった。
【０００６】
本発明は、上述した問題点を解決するために創案されたものである。すなわち、本発明の目的は、廊下等にでっぱることなく壁面内に収納でき、地震等で倒れるおそれがなく、大小のアイテムを見つけやすく収納でき、簡単な構造で仕切りを自由に変更でき、電話機又はインターホン等をでっぱることなく取り付けることができるウォールラックを提供することにある。
【０００７】
【課題を解決するための手段】
本発明によれば、互いに水平方向に間隔を隔てて壁面内に鉛直に設置された１対の鉛直板（２）を備え、該鉛直板の対向する内面には同一位置に、水平方向及び上下方向に間隔を隔てて複数の円形ダボ孔（２ａ）が設けられ、
更に、前記円形ダボ孔に着脱可能に取付けられる複数の棚支持部材（４）と、該棚支持部材で両端支持される複数の棚板（６）と、前記円形ダボ孔に着脱可能に取付けられかつ前記１対の鉛直板で両端支持される複数の倒れ防止バー（８）と、を備え、
前記対向する対の円形ダボ孔の深さは、一方が他方より深くなっており、
前記倒れ防止バーは、２枚の鉛直板の間隔に円形ダボ孔の浅い方の孔深さの２倍を加えた長さになっており、
前記倒れ防止バー（８）の一端（８ａ）には円形ダボ孔内に収容される圧縮コイルバネ（９）が取付けられ、該圧縮コイルバネにより反対側の鉛直板の円形ダボ孔内に倒れ防止バーの他端（８ｂ）を付勢する、ことを特徴とするウォールラックが提供される。
【０００８】
本発明の構成によれば、１対の鉛直板（２）が互いに水平方向に間隔を隔てて壁面内に鉛直に設置され、その間に棚板（６）と倒れ防止バー（８）が取付けられるので、廊下等にでっぱることなく壁面内に収納でき、かつ地震等で倒れるおそれがない。
【０００９】
また、鉛直板の対向する内面には同一位置に、水平方向及び上下方向に間隔を隔てて複数の円形ダボ孔（２ａ）が設けられ、この円形ダボ孔に着脱可能に棚支持部材（４）と倒れ防止バー（８）が取付けられ、更に棚板（６）が棚支持部材で両端支持されるので、簡単な構造で仕切り（棚板と倒れ防止バー）を自由に変更でき、大小のアイテムを見つけやすく収納できる。
【００１１】
この構造により、倒れ防止バー（８）の両端（８ａ，８ｂ）が１対の鉛直板で両端支持された状態で、圧縮コイルバネ（９）で他端（８ｂ）側に付勢されているので、地震等があっても不用意に倒れ防止バー（８）が外れるのを防ぐことができる。また、仕切り（棚板と倒れ防止バー）を変更する際には、倒れ防止バー（８）を一端（８ａ）側に押しつけて圧縮コイルバネ（９）を縮めるだけで、他端（８ｂ）を鉛直板から工具等なしに簡単に外すことができ、変更した棚板に合わせて別の位置に容易に取り付けることができる。
【００１２】
更に、この倒れ防止バー（８）は、棚支持部材（４）と共通の円形ダボ孔（２ａ）に取付けられるので、上下の棚板の間隔が大きい場合には、２本以上を上下方向に取り付けることができ、新聞、雑誌等を見やすい状態（立てかけた状態）で収納することができる。
【００１３】
また、前記１対の鉛直板（２）の間に壁面に平行又は斜めに取付けられたパネル板（１０）を備え、該パネル板に電話機等を取り付けることが好ましい。
この構成により、電話機、インターホン等を壁面からでっぱることなく取り付けることができる。
【００１４】
【発明の実施の形態】
以下、本発明の好ましい実施形態を図面を参照して説明する。なお、各図において共通する部分には同一の符号を付し、重複した説明を省略する。
図１は、本発明のウォールラックを取付けた居室内のレイアウト図である。この図において、本発明のウォールラック１は、マンションのリビングダイニングルーム（ＬＤＲ）とキッチンとの間にある袖壁内に埋設して設置され、廊下側へのでっぱりがないようになっている。
【００１５】
図２は、本発明のウォールラックの正面図（Ａ）と断面図（Ｂ）である。また、図３は、図２のＡ部拡大図であり、図４は図３のＢ―Ｂ断面図である。
【００１６】
図２〜図４に示すように、本発明のウォールラック１は、１対の鉛直板２、複数の棚支持部材４、複数の棚板６、及び複数の倒れ防止バー８からなる。
【００１７】
１対の鉛直板２は、互いに水平方向に間隔を隔てて壁面（この例では袖壁）内に鉛直に設置されている。また、図４に示すように鉛直板２は、袖壁を構成する木軸１１に釘又はネジで強固に固定され、地震等で倒れないようになっている。更に、２本の鉛直板２は、少なくとも上下端で別の水平部材３で連結され、その間隔を一定に保持するようになっている。
【００１８】
図４に示すように、鉛直板２の対向する内面には複数の円形ダボ孔２ａが設けられている。この円形ダボ孔２ａは、例えば直径約５ｍｍ前後の円形孔であり、その深さは一方の鉛直板２が深く（例えば約１５ｍｍ）他方が浅く（例えは約１０ｍｍ）なっている。また、円形ダボ孔２ａは、左右の鉛直板２の同一位置に設けられ、かつ各鉛直板２の水平方向及び上下方向に間隔を隔てて多数設けられている。すなわち、この例では、水平に間隔を隔てて手前側と奥側に対で設けられ、かつこの対が上下方向に一定の間隔（例えば５ｃｍ前後）を隔てて多数（この例では２０対）設けられている。なお、円形ダボ孔２ａの寸法は全て同一である。
【００１９】
棚支持部材４は、この例では、拡径部４ａと縮径部４ｂからなる短い円筒部材であり、縮径部４ｂが円形ダボ孔２ａに着脱可能に固く嵌まり、水平に引き抜かないかぎり振動等では抜け出ないようになっている。
【００２０】
棚板６は、２枚の鉛直板２の間隔よりわずかに短い長さを有し、棚支持部材４で両端支持されるようになっている。すなわち、左右の鉛直板２の同一高さに位置する手前側と奥側の対の円形ダボ孔２ａに合計４つの棚支持部材４を挿入して固定し、その上に棚板６の両端を載せて棚板６を水平に支持する。この場合、棚板６の両端部には棚支持部材４の拡径部４ａに嵌まる凹部６ａが設けられており、地震等により棚板６が外れないようになっている。
【００２１】
図４に示すように、倒れ防止バー８は、２枚の鉛直板２の間隔に円形ダボ孔２ａの浅い方の孔の深さ（約１０ｍｍ）の２倍を加えた長さにほぼなっており、深い方の孔に押し込むと浅い方の孔から他端を外して、別の円形ダボ孔に着脱することができる。
また、倒れ防止バー８の一端８ａには円形ダボ孔２ａ内に収容される圧縮コイルバネ９が取付けられている。従って、通常の使用状態では、この圧縮コイルバネ９により反対側の鉛直板の円形ダボ孔２ａ内に倒れ防止バーの他端８ｂを付勢して、地震等で倒れ防止バー８が外れないようになっている。
【００２２】
また、図２に示すように、本発明のウォールラック１は、更に、１対の鉛直板２の間に壁面に平行又は斜めに取付けられたパネル板１０を備えている。このパネル板１０の表面には、電話機、インターホン、等をネジ等で取り付けることができる。また、このパネル板１０の背面で必要な結線を行うようになっている。
【００２３】
上述した本発明の構成によれば、１対の鉛直板２が互いに水平方向に間隔を隔てて壁面内に鉛直に設置され、その間に棚板６と倒れ防止バー８が取付けられるので、廊下等にでっぱることなく壁面内に収納でき、かつ地震等で倒れるおそれがない。
【００２４】
また、鉛直板２の対向する内面には同一位置に、水平方向及び上下方向に間隔を隔てて複数の円形ダボ孔２ａが設けられ、この円形ダボ孔に着脱可能に棚支持部材４と倒れ防止バー８が取付けられ、更に棚板６が棚支持部材４で両端支持されるので、簡単な構造で仕切り（棚板と倒れ防止バー）を自由に変更でき、大小のアイテムを見つけやすく収納できる。
【００２５】
更に、倒れ防止バー８の両端８ａ，８ｂが鉛直板２で両端支持された状態で、圧縮コイルバネ９で他端８ｂ側に付勢されているので、地震等があっても不用意に倒れ防止バー８が外れるのを防ぐことができる。また、仕切り（棚板と倒れ防止バー）を変更する際には、倒れ防止バー８を一端８ａ側に押しつけて圧縮コイルバネ９を縮めるだけで、他端８ｂを鉛直板２から工具等なしに簡単に外すことができ、変更した棚板に合わせて別の位置に容易に取り付けることができる。
【００２６】
更に、この倒れ防止バー８は、棚支持部材４と共通の円形ダボ孔２ａに取付けられるので、上下の棚板の間隔が大きい場合には、２本以上を上下方向に取り付けることができ、新聞、雑誌等を見やすい状態（立てかけた状態）で収納することができる。
【００２７】
また、壁面に平行又は斜めに取付けられたパネル板１０に電話機等を取り付けることにより、電話機、インターホン等を壁面からでっぱることなく取り付けることができる。
【００２８】
なお、本発明は上述した実施形態に限定されるものではなく、本発明の要旨を逸脱しない範囲で種々に変更できることは勿論である。例えば、上述の説明では、本発明のウォールラックを壁面内に組み込んでいるが、これを壁に近接して独立に設置してもよい。また、本発明の実施形態では、リビングダイニングルームとキッチンとの堺にある袖壁に本発明のウォールラックを設けることとしたが住戸内廊下と寝室等の境にある壁部分に本発明のウォールラックを設けてもよい。この場合、インターホンなどを付けないラックとしてもよく、また、複数のラックを並列して設けるのもよく、さらに、ラックは場合に応じて寝室側か室内廊下側の何れかに向けて設けるとよい。
【００２９】
【発明の効果】
上述したように、本発明によれば、リビングのすぐ手の届くところに置きたいアイテムを片付けることができ、部屋に出っ張る収納棚なしに、動線上、便利な位置に整理することができる。
また、各アイテムに合わせて棚の位置を設定できるばかりでなく、棒状の倒れ防止バー８をフック用にも使え、かつ壁厚を変えずに取付けて、電話機、インターホン、ＴＶモニター等を組み込むこともできる。
【００３０】
従って、本発明のウォールラックは、廊下等にでっぱることなく壁面内に収納でき、地震等で倒れるおそれがなく、大小のアイテムを見つけやすく収納でき、簡単な構造で仕切りを自由に変更でき、電話機又はインターホン等をでっぱることなく取り付けることができる、等の優れた効果を有する。
【図面の簡単な説明】
【図１】本発明のウォールラックを取付けた居室内のレイアウト図である。
【図２】本発明のウォールラックの正面図（Ａ）と断面図（Ｂ）である。
【図３】図２のＡ部拡大図である。
【図４】図３のＢ―Ｂ断面図である。
【符号の説明】
１  ウォールラック
２  鉛直板
２ａ  円形ダボ孔
３  水平部材
４  棚支持部材
４ａ  拡径部
４ｂ  縮径部
６  棚板
８  倒れ防止バー
８ａ  一端
８ｂ  他端
９  圧縮コイルバネ
１０  パネル板
【図１】
0004404278.tif 000002
【図２】
0004404278.tif 000003
【図３】
0004404278.tif 000004
【図４】
0004404278.tif 000005